(57)【要約】【課題】  原稿の表裏を一度の搬送で読み取る原稿読取装置において、画像データの転送速度を高速化することなく、原稿読み取りの生産性を向上させる。【解決手段】  原稿の表面を読み取るＣＣＤ１２６と、原稿の裏面を読み取るＣＩＳ１２８を設けた原稿読取装置において、ＣＣＤ１２６及びＣＩＳ１２８により６００ｄｐｉで読み取られた原稿の表面及び裏面の画像データの転送に要する時間が、ＣＣＤ１２６による先行原稿の読み取り開始から後続原稿の読み取り開始までに要する時間と同じか、それよりも短くなるように、原稿の画像データを３００ｄｐｉに解像度変換して画像形成装置等の画像処理装置へ転送する。【選択図】  図４
2009153052.tif 000002
【特許請求の範囲】
【請求項１】
原稿を搬送する原稿搬送手段と、
前記原稿搬送手段により搬送される原稿の一方の面を読み取る第１読取手段と、
前記原稿搬送手段により搬送される原稿の他方の面を読み取る第２読取手段と、
前記第１及び第２読取手段により読み取られた原稿の一方及び他方の面の画像データの転送に要する時間が、前記第１または第２読取手段による先行原稿の読み取り開始から後続原稿の読み取り開始までに要する時間と同じか、それよりも短くなるように、原稿の一方及び他方の面の画像データのデータ量を削減するデータ量削減手段と、
前記データ量削減手段によりデータ量が削減された画像データを画像処理装置へ転送する転送手段と、
を有することを特徴とする原稿読取装置。
【請求項２】
前記データ量削減手段は、前記第１及び第２読取手段の少なくとも１つが読み取った原稿の画像データの解像度を下げる解像度変換を行うことにより、画像データのデータ量を削減することを特徴とする請求項１記載の原稿読取装置。
【請求項３】
前記データ量削減手段は、前記第１及び第２読取手段が読み取った原稿の画像データの解像度を半分以下に解像度変換することを特徴とする請求項２記載の原稿読取装置。
【請求項４】
生産性よりも画質を優先するモードを設定する設定手段を更に有し、
前記データ量削減手段は、前記設定手段により画質を優先するモードが設定されたことに応じて、画像データのデータ量を削減しないことを特徴とする請求項１記載の原稿読取装置。
【請求項５】
原稿を搬送する原稿搬送手段と、
前記原稿搬送手段により搬送される原稿を読み取る読取手段と、
前記読取手段により読み取られた原稿の画像データの転送に要する時間が、前記読取手段による先行原稿の読み取り開始から後続原稿の読み取り開始までに要する時間と同じか、それよりも短くなるように、原稿の画像データのデータ量を削減するデータ量削減手段と、
前記データ量削減手段によりデータ量が削減された画像データを画像処理装置へ転送する転送手段と、
を有することを特徴とする原稿読取装置。
【発明の詳細な説明】
【技術分野】
【０００１】
本発明は、読み取った原稿の画像データを画像処理装置へ転送する原稿読取装置に関する。
【背景技術】
【０００２】
従来、複写機等に使用される原稿読取装置には、原稿搬送装置により原稿が原稿台ガラス上を搬送する間に、原稿の画像を読み取る原稿流し読みを行うものがある（例えば、特許文献１参照）。さらには、生産性向上のために、原稿の表面用と裏面用のイメージセンサをそれぞれ設けて、原稿の表裏をスイッチバックさせることなく一度の搬送で読み取るものが知られている（例えば、特許文献２参照）。
【０００３】
このような原稿読取装置の構成を図１に示す。原稿トレイ１０１から原稿が給紙され、流し読みガラス１１６上を通過する原稿１０２の表面がＣＣＤ（電荷結合素子）センサ１２６により読み取られる。そして、原稿１０２は更に搬送され、流し読みガラス１３０上を通過する原稿１０２の裏面がＣＩＳ（コンタクトイメージセンサ）センサ１２８により読み取られる。
【０００４】
図１０に示すように、ＣＣＤセンサ１２６からのアナログ信号は、Ａ／Ｄ変換回路３０１でデジタルデータに変換され、シェーディング補正回路３０２でシェーディング補正が行われる。ＣＩＳセンサ１２８からのアナログ信号は、Ａ／Ｄ変換回路３０３でデジタルデータに変換され、シェーディング補正回路３０４でシェーディング補正が行われ、メモリ３０６に一時的に記憶される。
【０００５】
上記構成にて原稿の両面を一度の搬送で読み取る両面同時読み取りを行う場合、出力選択回路３０７はＣＣＤセンサ１２６からの画像データを画像データ出力ライン３０８に転送する。この間、ＣＩＳセンサ１２８からの画像データについてはメモリ３０６に記憶しておく。ＣＣＤセンサ１２６からの１ページ分の画像データが画像データ出力ライン３０８に転送された後、出力選択回路３０７は、メモリ３０６に記憶された画像データを画像データ出力ライン３０８に転送する。メモリ３０６の画像データを転送し終わるまでは、ＣＣＤセンサ１２６からの画像データを転送することができないため、それまでは次のページの原稿が流し読みガラス１１６へ搬送されないように制御しなければならない。このようなことが、両面原稿読み取りの生産性向上の阻害要因となっており、原稿の両面を一度の搬送で読み取る構成の能力を発揮しきれていない。
【０００６】
そのため、メモリに記憶した画像データ（裏面画像）の転送速度を、メモリを介さない画像データ（表面画像）の転送速度よりも速くすることで生産性を向上させることが提案されている（例えば、特許文献３参照）。
【特許文献１】特開２００１−２８５５９５号公報
【特許文献２】特開２００４−１８７１４４号公報
【特許文献３】特開平７−２８３９０６号公報
【発明の開示】
【発明が解決しようとする課題】
【０００７】
しかしながら、画像データの転送を高速で行うためには、画像データの転送部の応答性をあげる必要があり、コストアップの問題や、高速データ転送に伴うノイズの発生等の問題に対処しなければならないという問題があった。
【課題を解決するための手段】
【０００８】
上記課題に鑑み、本発明は、原稿を搬送する原稿搬送手段と、前記原稿搬送手段により搬送される原稿の一方の面を読み取る第１読取手段と、前記原稿搬送手段により搬送される原稿の他方の面を読み取る第２読取手段と、前記第１及び第２読取手段により読み取られた原稿の一方及び他方の面の画像データの転送に要する時間が、前記第１または第２読取手段による先行原稿の読み取り開始から後続原稿の読み取り開始までに要する時間と同じか、それよりも短くなるように、原稿の一方及び他方の面の画像データのデータ量を削減するデータ量削減手段と、前記データ量削減手段によりデータ量が削減された画像データを画像処理装置へ転送する転送手段と、を有することを特徴とする原稿読取装置を提供するものである。
【発明の効果】
【０００９】
本発明によれば、第１及び第２読取手段により読み取られた原稿の一方及び他方の面の画像データの転送に要する時間が、第１または第２読取手段による先行原稿の読み取り開始から後続原稿の読み取り開始までに要する時間と同じか、それよりも短くなるように、原稿の一方及び他方の面の画像データのデータ量を削減するので、画像データの転送速度を高速化することなく、原稿読み取りの生産性を向上させることができる。
【発明を実施するための最良の形態】
【００１０】
（第１実施形態）
図１は、本発明の実施形態の原稿読取装置の断面図である。１００は自動原稿給送装置である。原稿トレイ１０１には読み取られるべき原稿１０２が載置される。給紙ローラ１０３は、分離ローラ１０４と同一の駆動源によって駆動され、原稿を給紙する。給紙ローラ１０３は、通常、ホームポジションである上方の位置に退避しており、原稿のセット作業を阻害しないようになっている。原稿の給紙が行われる場合、給紙ローラ１０３は下降して原稿１０２の上面に当接する。給紙ローラ１０３は、図示しないアームに軸支され、アームが揺動することにより上下に移動する。
【００１１】
分離ローラ１０５は、分離ローラ１０４と協働して、給紙ローラ１０３によって給紙される原稿１０２を１枚ずつ給紙する。そして、静止したレジストローラ対１０６、１０７のニップ部に原稿の先端が突き当てられ、原稿を撓ませることにより、原稿の斜行が矯正される。更に、リードローラ１０８および１０９は、原稿を流し読みガラス１１６に向けて搬送する。流し読みガラス１１６の対向する位置に設けられたプラテンローラ１１０は、原稿を流し読みガラス１１６に押さえつけながら原稿を搬送する。
【００１２】
プラテンローラ１１０により搬送された原稿は、ローラ１１１および１１２によりＣＩＳ（コンタクトイメージセンサ）センサ１２８へ向けて搬送される。ＣＩＳセンサ１２８の対向する位置に設けられたプラテンローラ１２７は、原稿を流し読みガラス１３０に押さえつけながら原稿を搬送する。そして、排紙ローラ１１３が原稿を排紙トレイ１１４上に排出する。
【００１３】
原稿読取装置１１５は、原稿面に対して光を照射するランプ１１９、および原稿１０２からの反射光をＣＣＤ（電荷結合素子）センサ１２６に導くミラー１２０、１２１、１２２及びレンズ１２５を有する。ランプ１１９およびミラー１２０は、ミラー台１２３に取り付けられている。また、ミラー１２１、１２２は、ミラー台１２４に取り付けられている。
【００１４】
流し読みガラス１１６上を通過する原稿１０２からの反射光は、ミラー１２０、１２１、１２２及びレンズ１２５により導かれ、原稿の表面画像がＣＣＤセンサ１２６により読み取られる。ＣＣＤセンサ１２６は主走査方向の少なくとも１ライン分の画像を読み取ることができるラインセンサで構成されている。ＣＣＤセンサ１２６は、結像した反射光を受光素子で光電変換し、入射光量に応じた電気信号を出力する。また、流し読みガラス１３０を通過する原稿１０２の裏面画像は、ＣＩＳセンサ１２８により読み取られる。ＣＩＳセンサ１２８は主走査方向の少なくとも１ライン分の画像を読み取ることができるラインセンサで構成されている。ＣＩＳセンサ１２８は、原稿１０２からの反射光を受光素子で光電変換し、入射光量に応じた電気信号を出力する。原稿読取装置１１５により読み取られた原稿画像は、画像形成装置１５０によってシート（用紙等）上に形成される。
【００１５】
なお、ミラー台１２３、１２４は、駆動モータの回転駆動により原稿台ガラス１１８と平行に移動するよう構成されており、原稿台ガラス１１８上に載置された原稿をＣＣＤセンサ１２６により読み取ることも可能である。
【００１６】
図２は、原稿読取装置１１５のブロック図である。ＣＣＤセンサ１２６（第１読取手段及び第２読取手段の一方）は、原稿の表面の画像をカラー画像（Ｒ、Ｇ、Ｂ）として６００ｄｐｉ（ｄｏｔ／ｉｎｃｈ）で読み取る。Ａ／Ｄ変換回路３０１は、ＣＣＤセンサ１２６から出力されたアナログ信号をデジタル信号に変換する。シェーディング補正回路３０２は、Ａ／Ｄ変換回路３０１から出力された画像データにシェーディング補正を行う。シェーディング補正が行われた画像データは、メモリ３０５に記憶される。
【００１７】
ＣＩＳセンサ１２８（第１読取手段及び第２読取手段の他方）は、原稿の裏面の画像をカラー画像として６００ｄｐｉで読み取る。Ａ／Ｄ変換回路３０３は、ＣＩＳセンサ１２８から出力されたアナログ信号をデジタル信号に変換する。シェーディング補正回路３０４は、Ａ／Ｄ変換回路３０３から出力された画像データにシェーディング補正を行う。シェーディング補正が行われた６００ｄｐｉの画像データは、メモリ３０６に記憶される。
【００１８】
メモリ３０５及び３０６に記憶された６００ｄｐｉの画像データは３００ｄｐｉで読み出される。６００ｄｐｉから３００ｄｐｉへの解像度変換は、加算平均等の処理によって行われる。なお、メモリ３０５及び３０６に画像データを書き込む前に３００ｄｐｉに変換しておいてもよい。メモリ３０５，３０６への画像データの書き込み及び読み出しはＣＰＵ３０９によって制御される。ＣＰＵ３０９は、後続原稿の画像データをメモリ３０５及び３０６への書き込みを行わせながら、メモリ３０５及び３０６に記憶されている先行原稿の画像データの読み出しを行わせることができる。メモリから読み出された画像データは、出力選択回路３０７を介して、画像データ出力ライン３０８に転送され、画像形成装置１５０へ出力される。ＣＰＵ３０９は、出力選択回路３０７がメモリ３０５及び３０６のいずれを選択するかを制御する。
【００１９】
図３は、本実施形態において両面原稿を一度の搬送で読み取る際のＣＰＵ３０９の制御フローチャートである。ＣＰＵ３０９は、前述のように原稿の給紙を開始させ、ＣＣＤセンサ１２６からの６００ｄｐｉの画像データをメモリ３０５に記憶させる（Ｓ４０１）。また、ＣＰＵ３０９は、ＣＣＤセンサ１２６からの画像データの記憶と並行して、ＣＩＳセンサ１２８からの画像データをメモリ３０６に６００ｄｐｉの画像データを記憶させる（Ｓ４０１）。
【００２０】
原稿の後端が流し読みガラス１１６を通過し、ＣＣＤセンサ１２６による画像読み取りが完了したら（Ｓ４０２）、ＣＰＵ３０９は、メモリ３０５に記憶された画像データを画像データ出力ライン３０８に転送し始めさせる（Ｓ４０３）。ＣＣＤセンサ１２６からの画像データを画像データ出力ライン３０８へ転送し終えたことを検出すると（Ｓ４０４）、ＣＰＵ３０９は、出力選択回路３０７をＣＩＳセンサ１２８側へ切り換えさせる。そして、ＣＰＵ３０９は、メモリ３０６に記憶されたＣＩＳセンサ１２８からの画像データを画像データ出力ライン３０８に転送させる（Ｓ４０５）。
【００２１】
原稿の後端が流し読みガラス１３０を通過し、メモリ３０６からＣＩＳセンサ１２８からの画像データを画像データ出力ライン３０８に転送し終えたことを検出すると（Ｓ４０６）、原稿１枚分の両面読み取りシーケンスを終了する。複数枚の両面原稿の場合は、ＣＰＵ３０９は、このフローチャートによる制御を連続的に行う。
【００２２】
図４は、上述の制御が行われた場合の、各制御のタイミングを示すタイミングチャートである。図１に示したように、原稿表面を読み取るＣＣＤセンサ１２６と原稿裏面を読み取るＣＩＳセンサ１２８は、原稿搬送方向に関して読み取り位置が異なる構成であるため、読み取りの開始及び終了のタイミングが表面と裏面で異なる。
【００２３】
１枚目の原稿表面を、６００ｄｐｉにて読み取り、メモリ３０５に一時記憶する。そして、原稿表面に並行して、１枚目の原稿裏面を、６００ｄｐｉにて読み取り、メモリ３０６に一時記憶する。原稿表面の読み取り動作が完了すると、メモリ３０５から画像データを画像データ出力ライン３０８を介して転送する（Ｔ１）。原稿裏面に関しては、原稿表面のデータ転送と並行して読み取り動作を継続する。メモリ３０５からの画像データの転送が終了するまでに、原稿裏面の読み取り動作が完了しているので、メモリ３０５からの画像データの転送が終了すると、メモリ３０６からの画像データの転送を開始する。
【００２４】
原稿表面の画像データ量は、６００ｄｐｉから３００ｄｐｉへ解像度変換され、読み取り時の半分となっているため、原稿の各面の画像データを画像データ出力ライン３０８へ転送する時間は、読み取り時間の半分となる。このように、画像データの解像度を下げる解像度変換を行うことにより、画像データのデータ量削減を行っている。従って、２枚目の原稿の画像データの転送を開始するタイミングである、２枚目の原稿表面の読み取り終了（Ｔ５）までに、１枚目の原稿の表面と裏面の画像データの転送が終了（Ｔ４）している。ここで、Ｔ２からＴ３の間は、１枚目原稿の表面画像をデータ転送している間に、２枚目原稿の表面画像を読み取っているが、メモリ３０５上の伝送を完了したデータの領域に２枚目原稿の画像データを書き込むようにしているので問題ない。このように、データ転送速度を高速化することなく、かつ、原稿読み取りの生産性を低下させることなく、両面原稿を一度の搬送で読み取って、画像形成装置や外部の装置（サーバやコンピュータ等）などの画像処理装置へ出力することが可能である。
【００２５】
尚、本実施形態では、各原稿面の転送画像データ量を、読み取り画像データの２分の１とするようにしたが、転送画像データ量を読み取り画像データ量の半分以下に解像度変換することでも、同様の効果が得られる。例えば、６００ｄｐｉの読み取り画像データを３分の１の２００ｄｐｉに変換するようにしてもよい。
【００２６】
また、上述した例以外にも、原稿の表面及び裏面の画像データの転送に要する時間が、先行原稿の読み取り開始から後続原稿の読み取り開始までに要する時間と同じか、それよりも短くなるようにすれば、同様の効果が得られる。
【００２７】
（第２実施形態）
第１実施形態においては、原稿表面の画像データの転送を原稿表面の読み取り完了時に開始したが、原稿表面の読み取り完了と同時かそれ以降に表面画像のデータ転送が完了するように、原稿表面の画像データの転送を開始してもよい。このタイミングよりも前に画像データの転送を開始すると、データの転送が原稿の読み取り完了前に追いついてしまうことになるため、本実施形態のようなタイミングでデータ転送を開始する。
【００２８】
図５は、原稿表面の読み取り完了と同時に表面画像のデータ転送が完了するように、原稿表面の画像データの転送を開始する場合の、各制御のタイミングを示すタイミングチャートである。１枚目の原稿表面を、６００ｄｐｉにて読み取り、メモリ３０５に一時記憶する。そして、原稿表面に並行して、１枚目の原稿裏面を、６００ｄｐｉにて読み取り、メモリ３０６に一時記憶する。原稿表面の２分の１読み取ったところで、メモリ３０５から画像データを画像データ出力ライン３０８を介して転送し始める（Ｔ６）。原稿裏面に関しては、原稿表面のデータ転送と並行して読み取り動作を継続する。メモリ３０５からのデータ転送は３００ｄｐｉであるため、６００ｄｐｉの原稿表面の読み取り完了と同時（Ｔ７）にデータ転送を完了する。メモリ３０５からの画像データの転送が終了するまでに、原稿裏面の２分の１以上の読み取りが完了しているので、メモリ３０５からの画像データの転送が終了すると、メモリ３０６からの画像データの転送を開始する。
【００２９】
原稿表面の画像データ量は、６００ｄｐｉから３００ｄｐｉへ解像度変換され、読み取り時の半分となっているため、原稿の各面の画像データを画像データ出力ライン３０８へ転送する時間は、読み取り時間の半分となる。従って、２枚目の原稿の画像データの転送を開始するタイミングである、２枚目の原稿表面の２分の１の読み取りが終わるとき（Ｔ９）までに、１枚目の原稿の表面と裏面の画像データの転送が終了（Ｔ８）している。このように、データ転送速度を高速化することなく、かつ、原稿読み取りの生産性を低下させることなく、両面原稿を一度の搬送で読み取って、画像形成装置や外部の装置（サーバやコンピュータ等）へ出力することが可能である。
【００３０】
図６は、本実施形態において両面原稿を一度の搬送で読み取る際のＣＰＵ３０９の制御フローチャートである。ＣＰＵ３０９は、前述のように原稿の給紙を開始させ、ＣＣＤセンサ１２６からの６００ｄｐｉの画像データをメモリ３０５に記憶させる（Ｓ５０１）。また、ＣＰＵ３０９は、ＣＣＤセンサ１２６からの画像データの記憶と並行して、ＣＩＳセンサ１２８からの画像データをメモリ３０６に６００ｄｐｉの画像データを記憶させる（Ｓ５０１）
【００３１】
ＣＣＤセンサ１２６による画像読み取りが２分の１完了した時点で（Ｓ５０２）、ＣＰＵ３０９は、メモリ３０５に記憶された画像データを画像データ出力ライン３０８に転送開始させる（Ｓ５０３）。ＣＣＤセンサ１２６からの画像データを画像データ出力ライン３０８へ転送し終えたことを検出すると（Ｓ５０４）、ＣＰＵ３０９は、出力選択回路３０７をＣＩＳセンサ１２８側へ切り換えさせる。そして、ＣＰＵ３０９は、メモリ３０６に記憶されたＣＩＳセンサ１２８からの画像データを画像データ出力ライン３０８に転送開始させる（Ｓ５０５）。
【００３２】
メモリ３０６からＣＩＳセンサ１２８からの画像データを画像データ出力ライン３０８に転送終了したことを検出すると（Ｓ５０６）、原稿１枚分の両面読み取りシーケンスを終了する。複数枚の両面原稿の場合は、ＣＰＵ３０９は、このフローチャートによる制御を連続的に行う。
【００３３】
（第３実施形態）
上述の第１及び第２の実施形態においては、原稿表面の画像データの転送開始を、先行原稿の読み取り動作を基準として行なった。別の実施形態として、後続原稿の原稿裏面の画像データと未転送の先行原稿の原稿裏面の画像データでメモリフルになる前に先行原稿の裏面画像のデータ転送が完了するように、原稿表面の画像データの転送を開始してもよい。ここでは、メモリ３０５及び３０６はそれぞれ１頁分の画像を記憶する容量を持っていることを前提としている。このタイミングよりも後に画像データの転送を開始すると、メモリ３０６がメモリフルとなって、転送できない画像データが発生してしまうことになるため、本実施形態のようなタイミングでデータ転送を開始する。
【００３４】
図７は、メモリ３０６がメモリフルになる前に、先行原稿の裏面画像のデータ転送が完了するように、原稿表面の画像データの転送を開始する場合の、各制御のタイミングを示すタイミングチャートである。メモリフルになる状態とは、後続原稿の原稿裏面の画像データと未転送の先行原稿の原稿裏面の画像データでメモリ３０６がメモリフルになる状態である。１枚目の原稿の表面を、６００ｄｐｉにて読み取り、メモリ３０５に一時記憶する。そして、原稿表面に並行して、１枚目の原稿の裏面を、６００ｄｐｉにて読み取り、メモリ３０６に一時記憶する。
【００３５】
メモリ３０５及び３０６は、後続原稿の画像データを記憶する必要がある。そのため、後続原稿の原稿裏面の画像データと未転送の先行原稿の原稿裏面の画像データでメモリフルになる前（Ｔ１１）に、先行原稿の裏面画像のデータ転送が完了するように、原稿表面の画像データの転送を開始する（Ｔ１０）。図７においては、画像データの転送開始タイミングが、後続原稿の裏面の読み取り開始によって決定された場合を例としているが、表裏の画像読み取りセンサの配置（両者の距離）によって読み取り開始タイミングを決めることができる。
【００３６】
図８は、本実施形態において両面原稿を一度の搬送で読み取る際のＣＰＵ３０９の制御フローチャートである。ＣＰＵ３０９は、ＣＣＤセンサ１２６の画像データをメモリ３０５に、ＣＩＳセンサ１２８からの画像データをメモリ３０６に３００ｄｐｉの画像データにて記憶させる（Ｓ６０１）。ＣＣＤセンサ１２６による画像読み取りが完了した時点で（Ｓ６０２）、ＣＰＵ３０９は、ＣＩＳセンサ１２８の読み取り開始前に表面の画像読み取りが完了可能かどうか確認する（Ｓ６０３）。
【００３７】
ステップＳ６０３にて、裏面の画像読み取り開始前に、表面の画像読み取りが完了すると判断された場合には、ＣＰＵ３０９は、ステップＳ６０７へ進む。原稿がＣＣＤセンサ１２６に到達した時点で（Ｓ６０７）、ＣＰＵ３０９は、メモリ３０５に記憶された画像データの転送を開始する（Ｓ６０８）。また、これと並行してＣＰＵ３０９は、ＣＣＤセンサ１２６によって読み取られた表面の画像データを、メモリ３０５の画像データの転送が完了した記憶領域へ書き込む（Ｓ６０８）。
【００３８】
メモリ３０５に記憶されたＣＣＤセンサ１２６からの画像データの転送完了を検出すると（Ｓ６０９）、ＣＰＵ３０９は、メモリ３０６に記憶されたＣＩＳセンサ１２８の画像データの転送を開始する（Ｓ６１０）。
【００３９】
ＣＰＵ３０９は、メモリ３０６からＣＩＳセンサ１２８からの画像データの転送完了を検出（Ｓ６１１）すると、原稿の両面同時読み取り、及び画像データの出力を終了する。
【００４０】
一方、ステップＳ６０３にて、裏面の画像読み取り開始前に、表面の画像読み取りが完了しないと判断された場合には、ＣＰＵ３０９は、後続原稿裏面までの原稿間隔を算出し、画像データ転送開始タイミングを算出する（Ｓ６０４）。画像データ転送開始タイミングは、（次原稿裏面読み取り位置到達時間）−（読み取り時間／２）によって算出される。画像データ転送開始タイミングになった時点で（Ｓ６０５）、ＣＰＵ３０９は、メモリ３０５に記憶された画像データの転送を開始する（Ｓ６０６）。原稿がＣＣＤセンサ１２６に到達した時点で（Ｓ６０７）、ＣＰＵ３０９は、ＣＣＤセンサ１２６による表面の画像読み取り等の前述の処理を行う。
【００４１】
原稿表裏あわせた画像データ転送時間は、第１及び第２の実施形態と同様に、原稿表裏それぞれの読み取り時間と等しく、２枚目の表面の画像データ読み取りが完了前に、表裏画像データ転送が可能となり、読み取り生産性を損なうことがない。
【００４２】
本実施形態では、画像データ転送開始タイミングが最も遅い条件を示しており、画像データ転送開始タイミングは、第２実施形態に示したタイミングから第３実施形態に示したタイミングの間であれば、同様の効果が得られる。
【００４３】
（第４実施形態）
実施形態１乃至３では、読み取り生産性を優先し、解像度を落として転送したが、操作者によっては、両面原稿画像読み取り生産性を落としても画像データの解像度を優先したい場合がある。生産性優先モードと画質優先モードの切り替えを選択可能とした実施形態について、図９を用いて説明する。
【００４４】
原稿両面読み取りモードが実施された時点で、生産性優先モードが設定されているかどうか判断する（Ｓ７０１）。本モード設定は、あらかじめ操作者によって、原稿読取装置、ＡＤＦ、あるいは画像データ転送ラインに接続されるＰＣ（パーソナルコンピュータ）の画面上のアイコンや、画像形成装置の操作部に設けられたスイッチによって行なわれる。生産性優先モードと判断された場合は、画像解像度が変換されるため、操作部等にその旨の表示を行う（Ｓ７０２）。この表示の後、前述した実施形態の処理が行われる。
【００４５】
ステップＳ７０１にて、画質優先モードと判断された場合は、原稿間隔を解像度を落とすことなく両面の画像データ転送が可能な間隔となるよう制御し、原稿画像データ表裏ともに画像読み取り解像度と同じ６００ｄｐｉにて画像データを転送する。この際、先行する表面画像データはメモリ３０５に記憶してもよいが、メモリ３０５を経由しなくてもよい。
【００４６】
このように、画質を優先するモードが設定されたことに応じて、画像データのデータ量を削減しないので、生産性優先と画質優先の両方に適宜対応することが可能になる。
【００４７】
上述した実施形態では、両面原稿読み取りを行う原稿読取装置について説明したが、片面原稿読み取りを行う原稿読取装置において、画像処理装置へ画像データを転送する速度が遅い場合にも本発明を適用することができる。この場合、画像データの転送に要する時間が、先行原稿の読み取り開始から後続原稿の読み取り開始までに要する時間と同じか、それよりも短くなるように、原稿の画像データのデータ量を削減するようにすればよい。
【図面の簡単な説明】
【００４８】
【図１】本発明の実施形態の原稿読取装置の断面図である。
【図２】原稿読取装置１１５のブロック図である。
【図３】第１実施形態の制御フローチャートである。
【図４】第１実施形態のタイミングチャートである。
【図５】第２実施形態のタイミングチャートである。
【図６】第２実施形態の制御フローチャートである。
【図７】第３実施形態のタイミングチャートである。
【図８】第３実施形態の制御フローチャートである。
【図９】第４実施形態のフローチャートである。
【図１０】従来の原稿読取装置のブロック図である。
【符号の説明】
【００４９】
１００  自動原稿搬送装置
１０２  原稿
１１５  原稿読取装置
１２６  ＣＣＤセンサ
１２８  ＣＩＳセンサ
３０１，３０３  Ａ／Ｄ変換回路
３０２，３０４  シェーディング補正回路
３０５，３０６  メモリ
３０７  出力選択回路
３０８  画像データ出力ライン
３０９  ＣＰＵ
【図１】
2009153052.tif 000003
【図２】
2009153052.tif 000004
【図３】
2009153052.tif 000005
【図４】
2009153052.tif 000006
【図５】
2009153052.tif 000007
【図６】
2009153052.tif 000008
【図７】
2009153052.tif 000009
【図８】
2009153052.tif 000010
【図９】
2009153052.tif 000011
【図１０】
2009153052.tif 000012